(57)【特許請求の範囲】
【請求項１】
マトリクス状に配置された複数の受光領域が形成された受光面を有する撮像素子と、
読取対象側から進行してきた光を上記受光面に結像させる光学系と、
上記撮像素子および光学系を内部に収容保持し、上記読取対象側に開口端を有するケースと、を備えた画像読取装置であって、
上記ケースは、上記開口端側の端部によって上記読取対象またはその周囲を押さえ付けた状態において当該読取対象を覆って外部と区切るフードを有しており、
上記フードには、外光を散乱させ、かつ透過させる散乱透過部が設けられ、
上記フードは、横断面方向における外周寄りが中央寄りに比べて外光の透過光量が多くなるように構成されている、画像読取装置。
【請求項２】
上記フードは、上記光学系から上記開口端に向かうにつれて横断面が外方に広がる傾斜状とされる部分を有する、請求項１に記載の画像読取装置。
【請求項３】
上記散乱透過部は、上記フードのうち横断面方向における外周寄りに部分的に設けられている、請求項１または２に記載の画像読取装置。
【請求項４】
上記散乱透過部を透過させる、または上記散乱透過部において反射させることによって上記読取対象に向けて散乱光を照射する照明手段を備える、請求項１ないし３のいずれかに記載の画像読取装置。
【請求項５】
上記フードには、上記開口端と上記光学系との間に位置する透明板が設けられている、請求項１ないし４のいずれかに記載の画像読取装置。
【請求項６】
上記撮像素子により撮像された上記読取対象の撮像画像データから、像歪みが補正された上記読取対象の補正画像データを生成する処理手段をさらに備えている、請求項１ないし５のいずれかに記載の画像読取装置。
【請求項７】
読取対象側から進行してきた光を集束させる光学系と、
上記光学系を収容保持し、上記読取対象側にある第１開口端および上記読取対象側とは反対側にある第２開口端を有する筒状のケースと、を備え、
上記第２開口端にカメラのレンズ部分を臨ませた状態で用いる画像読取用アタッチメントであって、
上記ケースは、上記第１開口端側の端部によって上記読取対象またはその周囲を押さえ付けた状態において当該読取対象を覆って外部と区切るフードを有しており、
上記フードには、外光を散乱させ、かつ透過させる散乱透過部が設けられ、
上記フードは、横断面方向における外周寄りが中央寄りに比べて外光の透過光量が多くなるように構成されている、画像読取用アタッチメント。
【発明の詳細な説明】
【技術分野】
【０００１】
本発明は、画像読取装置、および画像読取用アタッチメントに関する。
【背景技術】
【０００２】
原稿などに記載された内容を読み取るための画像読取装置としては、一般に、線状に配列された受光部を有する撮像素子（ラインセンサ）を搭載したものが用いられている。近年では、撮像素子としてラインセンサに代えて２次元エリアセンサを搭載した画像読取装置も開示されている（たとえば、特許文献１を参照）。このような画像読取装置においては、たとえばフラットベッド型の場合、内蔵照明によって原稿読取面に載置された原稿を照明した状態で原稿の画像を光学レンズ系によって２次元エリアセンサ上に一括して結像させ、この２次元エリアセンサによって２次元の画像データを取得するように構成されている。２次元エリアセンサを用いた画像読取装置は、ラインセンサを用いた画像読取装置に比べて、２次元エリアセンサを走査させる必要がないので、原稿の記載内容を短時間で画像データとして取り込むことができる。また、２次元エリアセンサを走査させるための機構を設ける必要がないので、画像読取装置の小型化および低コスト化を図ることができる。
【０００３】
しかしながら、上記したフラットベッド型の画像読取装置では、原稿の種類によっては、読取部分が必ずしも平滑であるとは限らず、原稿読取面に原稿を密着させることができずに浮き上がった部分が生じる場合がある。たとえば書物、あるいはアルバムに貼付された写真などを読取対象とする場合には、ページの折り目付近や写真の縁付近に段差などが生じて読取対象が部分的に浮き上がりやすく、その浮き上がった部分の読取画像としては、ぼやけたり、黒ずむといった不都合が生じ得る。このような不都合を回避するためには、たとえば写真をアルバムから剥がして原稿読取面にセットする必要がある。また、このような書物やアルバムなどを読取対象とする場合には、読取対象自体の重量や厚さが嵩むことから、読取部分を裏返して原稿読取面に載置するといった作業そのものが煩わしいといった不都合もある。
【０００４】
【特許文献１】特開２００７−２３５９０２号公報
【発明の開示】
【発明が解決しようとする課題】
【０００５】
本発明は、上記した事情のもとで考え出されたものであって、段差などがある読取対象に対しても、上記した不都合を回避して適正な画像の読取を簡単な作業によって行うことができる画像読取装置、およびこのような画像読取に適したアタッチメントを提供することをその課題とする。
【課題を解決するための手段】
【０００６】
本発明の第１の側面によって提供される画像読取装置は、マトリクス状に配置された複数の受光領域が形成された受光面を有する撮像素子と、読取対象側から進行してきた光を上記受光面に結像させる光学系と、上記撮像素子および光学系を内部に収容保持し、上記読取対象側に開口端を有するケースと、を備えた画像読取装置であって、上記ケースは、上記開口端側の端部によって上記読取対象またはその周囲を押さえ付けた状態において当該読取対象を覆って外部と区切るフードを有しており、上記フードには、外光を散乱させ、かつ透過させる散乱透過部が設けられていることを特徴としている。
【０００７】
このような構成によれば、フードによって読取対象を覆った状態において、外光を、散乱透過部を介してフードの内側に取り入れ、散乱光として読取対象に向けて比較的均一に照射させることができる。したがって、読取対象が段差などを有する場合であっても、その記載内容を適正に読取ることができる。また、読取対象が比較的に重量や厚さの嵩むものである場合でも、読取部分を裏返してセットする必要がないため、画像読取のための作業そのものを簡単に行うことができる。
【０００８】
本発明の好ましい実施の形態においては、上記光学系は、複数のレンズを備えた広角レンズとして構成されている。このような構成によれば、ケースの開口端から光学系にいたるまでの寸法を小さくすることができ、画像読取装置の薄型化を図るうえで好適である。
【０００９】
本発明の好ましい実施の形態においては、上記フードは、上記光学系から上記開口端に向かうにつれて横断面が外方に広がる傾斜状とされる部分を有する。このような傾斜状とされた部分を有する構成は、ケースの小型化、軽量化を図るうえで好適である。
【００１０】
本発明の好ましい実施の形態においては、上記フードは、横断面方向における外周寄りが中央寄りに比べて外光の透過光量が多くなるように構成されている。このような構成によれば、読取対象の読取部分の端部寄りに対して、比較的に高い照度の光を照射することができる。したがって、光学系の画角が大きい場合においても、画角端付近での光量不足を解消することができ、均一な明るさの画像データを取り込むのに適している。
【００１１】
本発明の好ましい実施の形態においては、上記散乱透過部は、上記フードのうち横断面方向における外周寄りに部分的に設けられている。
【００１２】
本発明の好ましい実施の形態においては、上記フードは、横断面方向における中央から外周寄りへ向かうにつれて外光の透過光量が多くなるように構成されている。このような構成によれば、読取部分の端部に寄るほど高い照度の光を照射させることができ、このことは、取り込まれる画像データを均一な明るさとするうえで、より好ましい。
【００１３】
本発明の好ましい実施の形態においては、上記フードの上記開口端側の端部は矩形状とされており、上記散乱透過部は、上記フードの横断面方向において、中央寄りの円形領域または楕円形領域の外側に設けられている。このような構成によれば、矩形状の読取部分の４隅付近に占める面積比率が他の部分に占める面積比率よりも大きくなる。したがって、光量が不足しがちな読取部分の４隅付近に対して比較的高い照度の光を照射することができる。
【００１４】
本発明の好ましい実施の形態においては、上記散乱透過部を透過させる、または上記散乱透過部において反射させることによって上記読取対象に向けて散乱光を照射する照明手段を備える。このような構成によれば、外部環境によって外光を取り入れるだけでは光量が不足する場合においても、そのような不足分の光量を適切に補うことができる。
【００１５】
本発明の好ましい実施の形態においては、上記照明手段は、上記散乱透過部の外周の少なくとも一部に沿って配置され、長手方向略全域から上記散乱透過部に向けて光を出射する導光体と、この導光体の端部に設けられた光源とを備える。
【００１６】
本発明の好ましい実施の形態においては、上記フードには、上記開口端と上記光学系との間に位置する透明板が設けられている。
【００１７】
本発明の好ましい実施の形態においては、上記撮像素子により撮像された上記読取対象の撮像画像データから、像歪みが補正された上記読取対象の補正画像データを生成する処理手段をさらに備えている。
【００１８】
本発明の第２の側面によって提供される画像読取用アタッチメントは、読取対象側から進行してきた光を集束させる光学系と、上記光学系を収容保持し、上記読取対象側にある第１開口端および上記読取対象側とは反対側にある第２開口端を有する筒状のケースと、を備え、上記第２開口端にカメラのレンズ部分を臨ませた状態で用いる画像読取用アタッチメントであって、上記ケースは、上記第１開口端側の端部によって上記読取対象またはその周囲を押さえ付けた状態において当該読取対象を覆って外部と区切るフードを有しており、上記フードには、外光を散乱させ、かつ透過させる散乱透過部が設けられていることを特徴としている。
【００１９】
本発明のその他の特徴および利点は、添付図面を参照して以下に行う詳細な説明によって、より明らかとなろう。
【発明を実施するための最良の形態】
【００２０】
以下、本発明の好ましい実施の形態につき、図面を参照して具体的に説明する。
【００２１】
図１および図２は、本発明に係る画像読取装置の第１実施形態を示している。同図に示された画像読取装置Ａ１は、基板１、撮像素子２、光学系としての広角レンズ３、ケース４、透明板５を備えて構成されている。画像読取装置Ａ１は、読取対象である原稿Ｄｃの記載内容を画像データとして読み取るためのものである。
【００２２】
基板１は、たとえばプリント配線基板であり、図２に示すように長矩形状とされている。基板１は、銅などからなる金属配線層と樹脂層とが積層された構造を有する。基板１の中央部分には、撮像素子２および広角レンズ３が実装されている。基板１には、制御ＩＣ６およびメモリチップ７が実装されている。
【００２３】
撮像素子２は、たとえばＣＣＤ型やＣＭＯＳ型と呼ばれるものであり、図２および図３に示すように、矩形状の受光面２１を有している。受光面２１には、複数の単位受光領域２２が形成されている。各単位受光領域２２は、受けた光の光量に応じた起電力を生じさせる、いわゆる光電変換機能を発揮する部分である。複数の単位受光領域２２は、たとえば２μｍ程度の一定の配列ピッチでマトリクス状に配置されている。本実施形態においては、受光面２１は、１，６００個×１，２００個の単位受光領域２２によって構成されており、約３．６ｍｍ×約２．７ｍｍのサイズとされている。これにより、撮像素子２は、Ｌ版サイズの原稿Ｄｃを３２０ＤＰＩの解像度で読取可能である。受光面２１が光を受けると、各単位受光領域２２ごとの受光量に対応した出力レベルの画像信号が撮像素子２から出力される。
【００２４】
広角レンズ３は、原稿Ｄｃから向かってきた光を撮像素子２の受光面２１に結像させるためのものであり、図４に示すように、物体側レンズ３１、収束レンズ３２、および結像面側レンズ群３３を備えている。物体側レンズ３１、収束レンズ３２、および結像面側レンズ群３３は、それぞれのレンズ中心が一致するように、レンズホルダ３４に保持されている。
【００２５】
物体側レンズ３１は、凹レンズとされており、物体側の入射面３１ａと、結像面側の出射面３１ｂとを備えている。入射面３１ａは、凸の非球面とされており、そのレンズ中心付近の曲率半径に対し、レンズ中心から遠ざかるにつれて曲率半径が小さくなる形状とされている。出射面３１ｂは、凹球面とされた領域をもっている。本実施形態においては、上記凹球面とされた領域は、ほぼ１８０°に及んでいる。出射面３１ｂは、正確な凹球面であることが望ましいが、たとえば色消しのための樹脂層をコーティングすることはなんら差し支えないし、また、各種収差を補正するためにわずかな変更を加えても差し支えない。
【００２６】
収束レンズ３２は、物体側レンズ３１が凹レンズからなるために、発散しながら進行してくる光を、平行光ないしは略平行光に修正して、結像面側レンズ群３３へと入射させる役割を果たす。したがって、収束レンズ３２は、全体として凸レンズとされている。
【００２７】
結像面側レンズ群３３は、本実施形態の場合、非球面凸レンズ３３１と非球面凹レンズ３３２の組み合わせからなる。この結像面側レンズ群３３は、それ自体で収差少なく物体像を結像面に結像できるものが採用される。なお、撮像素子２に赤外線が入射することを防止するために、結像面側レンズ群３３と撮像素子２との間に赤外線フィルタ３５を設けてもよい。
【００２８】
本実施形態における広角レンズ３は、物体側レンズ３１の入射面３１ａを上記のように凸の非球面としたことによって比較的に広角でありながら像歪みが少なくなっており、たとえば画角が１００°程度、像歪みが±３％以内である。なお、画角をより大きくするために、物体側のレンズを複数のレンズからなる物体側レンズ群として構成してもよい。
【００２９】
ケース４は、基端部４１、およびフード４２を有している。基端部４１は、図中下方に開口端を有する箱状とされており、たとえば遮光性に優れた黒色の樹脂製である。この基端部４１には基板１が搭載されており、これにより、撮像素子２および広角レンズ３は、基板１を介して基端部４１に収容保持されている。
【００３０】
フード４２は、原稿Ｄｃを押え付けることによって当該原稿Ｄｃの読取部分を覆って外部と区切るためのものであり、図中下方の原稿Ｄｃ側に長矩形状の開口端４２ａを有する箱状とされている。より具体的には、フード４２は、中央に貫通孔４２１ａを有する上板４２１と、この上板４２１につながる傾斜板４２２と、傾斜板４２２につながる側板４２３とを備えて構成されており、広角レンズ３が貫通孔４２１ａに臨む姿勢で基端部４１の開口端部に取り付けられている。傾斜板４２２は、広角レンズ３から開口端４２ａに向かうにつれて横断面が外方に広がる傾斜状とされている。本実施形態においては、フード４２は、外光を透過させるとともに散乱させることが可能な構成とされており、たとえば白色の半透明樹脂からなる。このようなフード４２の材質としては、たとえばアクリル系、エポキシ系、あるいはポリカーボネート系の樹脂が挙げられる。
【００３１】
図２に表れているように、フード４２の外周面の一部は、たとえば黒色の塗膜からなる外光を遮光するための遮光膜４２４によって覆われている。遮光膜４２４は、平面視における中央寄りに設けられており、具体的には、上板４２１、および傾斜板４２２の中央寄りに部分的に形成されている。一方、傾斜板４２２の外周寄りおよび側板４２３は、遮光膜４２４に覆われずに外周側の表面が露出しており、この露出部分は、本発明でいう散乱透過部４２５を構成している。この散乱透過部４２５に外光が到達すると、当該外光は半透明樹脂を透過することによって、散乱光としてフード４２内側の原稿Ｄｃに向けて照射される。
【００３２】
透明板５は、たとえば透明樹脂製であり、フード４２に取り付けられている。本実施形態では、透明板５は、フード４２の開口端４２ａから広角レンズ３側に少し入り込んだ位置に設けられている。この透明板５は、広角レンズ３を保護する役割を有するとともに、たとえば原稿Ｄｃのうねりや反りが大きい場合には、原稿Ｄｃをほぼ平らな状態に押さえる役割を担う。なお、透明板５の下面には、反射防止膜を形成してもよい。この場合、原稿Ｄｃから広角レンズ３に向かう光の透明板５表面での反射による光量ロスを抑制することができる。
【００３３】
制御ＩＣ６は、演算処理回路が作り込まれた半導体チップであり、撮像素子２の駆動制御、メモリチップ７へのデータ転送、および画像読取装置Ａ１外とのデータ送受を行う。メモリチップ７は、たとえばフラッシュメモリであり、制御ＩＣ６の駆動制御によって得られた画像データを記憶しておくためのものである。
【００３４】
次に、画像読取装置Ａ１の作用について説明する。
【００３５】
本実施形態によれば、フード４２の開口端４２ａ側の端部４２ｂを原稿Ｄｃに押さえ付けた状態において、部屋の照明光あるいは太陽光などの外光を、散乱透過部４２５を介してフード４２の内側に取り入れ、散乱光として原稿Ｄｃに向けて比較的に均一に照射することができる。したがって、画像読取装置Ａ１を用いれば、従来のフラットベッド型の画像読取装置とは異なり、原稿Ｄｃが書物やアルバムといった段差などを有するものである場合においても、フード４２を原稿Ｄｃに覆い被せるだけで原稿Ｄｃの記載内容を適正に読取ることができる。また、画像読取装置Ａ１によれば、比較的に重量や厚さが嵩む原稿Ｄｃについても、フラットベッド型の画像読取装置のように読取部分を裏返してセットする必要がないため、画像読取のための作業そのものを簡単に行うことができる。このようなことから、画像読取装置Ａ１は、ハンディタイプスキャナとして利用するのに適している。
【００３６】
画像読取装置Ａ１においては、光学系として広角レンズ３を備えることにより、広角でありかつ歪みが少ない結像をすることが可能である。これにより、広角レンズ３をケース４の開口端４２ａから比較的近い位置に配置することが可能であり、画像読取装置Ａ１の薄型化を図ることができる。
【００３７】
フード４２は、広角レンズ３から開口端４２ａに向かうにつれて横断面が外方に広がる傾斜状とされた傾斜板４２２を有する。このように傾斜状とされた部分を有する構成により、ケース４の小型化、軽量化を図ることができる。これにより、画像読取装置Ａ１は、ハンディタイプスキャナとしての利用価値が高くなる。また、本実施形態では、上記傾斜状とされた部分に散乱透過部４２５が設けられているので、外光を効率よくフード４２の内側に取り入れることができる。
【００３８】
本実施形態のように光学系として広角レンズ３を採用する場合、広角であることによって画角端に寄るほど撮像素子２の受光面２１での光量が小さくなる。これに対し、フード４２は、中央寄りに遮光膜４２４を設けて実質的に外光を遮光する一方、外周寄りに散乱透過部４２５が設けられており、フード４２の外周寄りが中央寄りよりも外光の透過光量が多くなっている。このため、原稿Ｄｃの読取部分の端部寄りに対し、比較的に高い照度の散乱光を照射することが可能であり、受光面２１の端部付近での光量不足を解消することができる。したがって、かかる構成は、均一な明るさの画像データを取り込むのに適している。
【００３９】
図５〜図１２は、本発明の他の実施形態を示している。なお、これらの図において、上記実施形態と同一または類似の要素には、上記実施形態と同一の符号を付しており、適宜説明を省略する。
【００４０】
図５は、本発明に係る画像読取装置の第２実施形態を示している。本実施形態の画像読取装置Ａ２は、フード４２において、散乱透過部４２５が配される範囲が上記実施形態と異なっている。具体的には、複数の遮光膜４２４が分離して形成されており、これに伴って、散乱透過部４２５も複数個所に分離して設けられている。そして、複数の散乱透過部４２５については、フード４２の横断面方向（図中左右方向）において外周寄りのものほど幅寸法Ｌ１が大とされている。このような構成によれば、フード４２においては、横断面方向における中央から外周寄りへ向かうにつれて外光の透過光量が多くなり、原稿Ｄｃにおいては、読取部分の端部に寄るほど高い照度の光が照射されることになる。このことは、取り込まれる画像データを均一な明るさとするうえで、より好ましい。
【００４１】
図６は、本発明に係る画像読取装置の第３実施形態を示している。本実施形態の画像読取装置Ａ３は、フード４２において、散乱透過部４２５が配される範囲が上記実施形態と異なっている。具体的には、遮光膜４２４が平面視における楕円形領域に形成されており、この楕円形領域の外側が散乱透過部４２５となっている。このような構成によれば、散乱透過部４２５は、矩形状の読取部分の４隅付近に占める面積比率が他の部分に占める面積比率よりも大きくなる。したがって、光量が不足しがちな読取部分の４隅（画角端）付近に対して比較的高い照度の光を照射することが可能である。このことは、たとえば読取った画像データをＯＣＲ（光学式文字読取装置）によって処理する場合において、読取部分周辺部の光量不足に起因して識別不能となるといった不都合を解消するうえで有利である。なお、読取部分が正方形に近い形状である場合には、散乱透過部４２５を、図６のような楕円形領域の外側に設ける構成に代えて、円形領域の外側に設ける構成としてもよい。
【００４２】
図７および図８は、本発明に係る画像読取装置の第４実施形態を示している。本実施形態の画像読取装置Ａ４は、フード４２の外側に照明手段８が追加的に設けられている点において、上記実施形態と異なっている。照明手段８は、原稿Ｄｃに向けて散乱光を照射するためのものであり、光源８１、および全体として棒状に延びる導光体８２を備えて構成されている。光源８１は、たとえば赤色光、緑色光、および青色光を発光する３つのＬＥＤチップを含んで構成されており、導光体８２の端部に設けられている。光源８の駆動制御は、たとえば図示しない配線を介して接続された制御ＩＣ６によって行う。光源８１から光が発せられると、その光は導光体８２内を長手方向に沿って進行する。
【００４３】
導光体８２は、たとえばアクリル樹脂からなる透明度が高い部材であり、略全長にわたって断面略円形状を有している。導光体８２は、フード４２の側板４２３の外面に取り付けられた支持部材８３に支持されており、散乱透過部４２５の外周に沿って配置されている。具体的には、たとえば導光体８２の外周の適所には複数の凸片８２１が形成されており、これら凸片８２１が支持部材８３に形成された溝部８３１ないしストッパ部８３２に係合することにより、導光体８２は一定姿勢で支持部材８３に支持されている。導光体８２は、長手方向に延びて形成された光反射面８２ａおよび光出射面８２ｂを有している。光反射面８２ａは、導光体８２内を長手方向に向けて進行してきた光を、この光反射面８２ａに対向する光出射面８２ｂに向けて反射するための面である。光反射面８２ａは、凸部８２２の先端に設けられており、この凸部８２２は、長手方向に延びる断面略矩形の帯状とされている。本実施形態では、凸部８２２の先端は平面状とされ、たとえばこの先端部分に白色塗装が施されることによって光散乱機能を有する光反射面８２ａが形成されている。光出射面８２ｂは、散乱透過部４２５に向けて光を出射する面であり、光出射面８２ｂからは、長手方向に延びた線状光が出射される。
【００４４】
このような光源８１および導光体８２を有する構成によれば、線状光を照射することができ、この線状光は、散乱透過部４２５を透過することによって主に原稿Ｄｃの読取部分の周辺部に散乱光として照射されることになる。このような構成によれば、たとえば、外部環境によっては外光を取り入れるだけでは光量が不足する場合においても、そのような不足分の光量を照明手段８によって適切に補うことができる。また、導光体８２から照射される線状光は、散乱透過部４２５を介してフード４２内に散乱光として取り入れられるため、画像データに直接写り込むことはない。
【００４５】
図９は、本発明に係る画像読取装置の第５実施形態を示している。本実施形態の画像読取装置Ａ５は、フード４２の内側に照明手段８’が追加的に設けられている点において、上記実施形態と異なっている。照明手段８’は、光源（図示略）、導光体８２、および支持部材８３を有する構成とされている。照明手段８’は、基本構造としては上記第４実施形態の照明手段８と同様であるが、支持部材８３の配置、および導光体８２からの線状光の出射方向が上記第４実施形態と異なる。本実施形態では、支持部材８３はフード４２の上板４２１に支持されており、導光体８２から照射される光は、散乱透過部４２５の内面によって反射される。散乱透過部４２５の内面については、たとえば微細粗面に形成することにより導光体８２からの線状光を散乱反射させるように構成とするのが好ましい。また、これとは異なり、散乱透過部４２５の内面を反射率の高い平滑面に形成してもよい。
【００４６】
このような構成によれば、導光体８２から出射される線状光は、散乱透過部４２５内面において反射されることによって散乱光として原稿Ｄｃに向けて照射される。本実施形態によれば、たとえば、外部環境によっては外光を取り入れるだけでは光量が不足する場合、不足分の光量を照明手段８’によって適切に補うことができる。さらに、照明手段８’は、フード４２の内側に設けられているので、画像読取装置Ａ５の大型化を招くといった不都合が生じることはない。
【００４７】
図１０は、本発明に係る画像読取装置の第６実施形態を示している。本実施形態の画像読取装置Ａ６は、画像読取装置の厚さ方向の寸法がより小さくなっている点、制御ＩＣ６が画像歪みを補正する補正回路をさらに備えている点が、上記第１実施形態と異なる。また、本実施形態では、広角レンズ３として、画角が１３８°程度のものを用いている。上記補正回路は、撮像素子２により撮像された原稿Ｄｃの撮像画像データから、原稿Ｄｃの像歪みが補正された補正画像データを生成する。なお、ここでいう補正回路は、本発明における処理手段に相当する。
【００４８】
図１１（ａ）は、撮像素子２により撮像された原稿Ｄｃのサンプルの画像であり、上記補正回路により画像補正がされる前のものを示している。図１１（ｂ）は、図１１（ａ）で示した画像について上記補正回路により歪み補正がされたものを示している。これらの図から明らかなように、図１１（ａ）に示した画像における画角端周辺部の像歪みが、図１１（ｂ）では、補正されほぼ無くなっている。
【００４９】
上記補正回路は、たとえば次のような処理をおこなう。まず、上記補正回路には、撮像素子２により撮像された撮像画像データが入力される。この撮像画像データは、たとえば、単位受光領域２２ごとに、ある二次元座標系における座標（補正前座標とする）と色彩に関する情報とが与えられたものとなっている。次に、補正前座標について座標変換する。単位受光領域２２の補正前座標を、所定の変換式により、歪みが補正された画像となるような二次元座標系における座標（補正後座標）に変換する。そして、単位受光領域２２ごとに補正後座標と色彩に関する情報とが与えられた補正画像データとして、画像読み取り装置Ａ６外などにこのデータを出力する。
【００５０】
ここで、上記変換式は、広角レンズ３の特性により決まるものである。この変換式のパラメータは、格子状のテストパターンを撮像し、いくつかの補正前後の座標をこの変換式に代入することにより求められる。まず、目盛りの付いた格子状のテストパターンを撮像し、樽型の画像を得る。このとき、たとえば軸が画像の横方向と縦方向とである直交座標系における、格子の各交点の座標（補正前座標）を得る。次に、格子における各線分が互いに平行となるような座標系における、格子の各交点の座標（補正後座標）を決定する。次に、格子の各交点の補正前後の座標をパラメータが決定されていない上記変換式に代入し、これらのパラメータを求めることができる。
【００５１】
もちろん、補正前座標および補正後座標の対応関係を示すテーブルが既知である場合には、上記変換式を用いずに当該テーブルを用いて、補正前座標から補正後座標を得てもよい。
【００５２】
画像読取装置Ａ６においては、広角レンズ３としてより広角なものを備えている。そのため、広角レンズ３を、ケース４の開口端４２ａからより近い位置に配置することが可能となる。これにより、画像読取装置Ａ６をさらに薄型とすることができる。これとともに、画像読取装置Ａ６は上記処理手段を備えていることから、画像読取装置Ａ６を薄型にしても、歪みの少ない画像を得ることができる。
【００５３】
図１２は、本発明に係る画像読取用アタッチメントの一実施形態を示している。本実施形態の画像読取用アタッチメントＢは、撮像素子および結像面側レンズ群を備えておらず、ケース４の基端部４１は、原稿Ｄｃとは反対側の図中上方に開口端４１ａを有する筒状とされている。この画像読取用アタッチメントＢは、たとえば、電子撮像装置を備えたカメラ９（デジタルカメラやカメラ機能搭載の携帯電話機など）のレンズ部分を開口端４１ａに臨ませた状態において、カメラ９を開口端４１ａ側の端部４１ｂに取り付けることができるように構成されている。このように、画像読取用アタッチメントＢは、カメラ９を取り付けることによって、広角撮像が可能なハンディタイプスキャナとして利用することができる。また、画像読取用アタッチメントＢにおいても、上記した第１実施形態の画像読取装置Ａ１と同様に、フード４２を原稿Ｄｃに押さえ付けた状態で、外光を、散乱透過部４２５を介してフード４２内側に散乱光として取り入れて原稿Ｄｃに向けて比較的に均一に照射することができる。したがって、画像読取装置Ａ１に関して上述したのと同様の利点を享受することができる。
【００５４】
本発明に係る画像読取装置および画像読取用アタッチメントは、上述した実施形態に限定されるものではない。本発明に係る画像読取装置および画像読取用アタッチメントの各部の具体的な構成は、種々に設計変更自在である。
【００５５】
本発明でいう散乱透過部としては、上記実施形態のような半透明樹脂によって構成されたものに限定されるものではない。散乱透過部は、外光を透過させるとともに散乱させることが可能な構成であればよく、たとえば透明樹脂の表面に微細粗面からなる光散乱面を形成した構成としてもよい。
【００５６】
フードの横断面方向における中央から外周寄りに向かうにつれて外光の透過光量が多くなる構成としては、上記第２実施形態のように散乱透過部の配される範囲に特徴をもたせる構成に代えて、たとえば散乱透過部の厚さ寸法を外周寄りに向かうにつれて小さくする構成としてもよい。また、たとえば透明樹脂にグラデーションパターンを印刷するなどにより、外周寄りに向かうにつれて外光の透過光量が多くなるように構成してもよい。
【００５７】
本発明に係る光学系としては、上記実施形態のような広角レンズ３を用いた構成に限定されるものではなく、画角が６０°未満の標準レンズを用いてもよい。この場合、使用レンズの枚数を増減するなどによりレンズ構成を適宜変更すればよい。標準レンズを用いる場合には、たとえば標準レンズおよび撮像素子を複数ずつ基板上に配置して複数の画像データを取得可能に構成し、これら画像データを合成処理すれば、広角レンズを使う場合と同程度の読取部分を確保しつつ、画像読取装置の厚さ方向の寸法（レンズの光軸方向の寸法）が大きくなるのを回避することができる。
【００５８】
本発明に係る処理手段は、上記実施形態のような制御ＩＣ６に含まれているものに限定されない。上記処理手段を備えるチップであり制御ＩＣ６とは別のものを用いてもよい。また、上記処理手段における処理が、パソコンソフトにより行われてもよい。このとき、上記撮像素子から撮像画像データがパソコンに出力された後、随時（瞬時が望ましい）、当該データの変換がなされる。
【図面の簡単な説明】
【００５９】
【図１】本発明に係る画像読取装置の第１実施形態を示す斜視図である。
【図２】図１のＩＩ−ＩＩ線に沿う断面図である。
【図３】図１に示す画像読取装置に用いられる撮像素子を模式的に示す斜視図および要部拡大図である。
【図４】図１に示す画像読取装置に用いられる広角レンズを示す縦断面図である。
【図５】本発明に係る画像読取装置の第２実施形態を示す要部縦断面図である。
【図６】本発明に係る画像読取装置の第３実施形態を示す平面図である。
【図７】本発明に係る画像読取装置の第４実施形態を示す平面図である。
【図８】図７のＶＩＩＩ−ＶＩＩＩ線に沿う断面図である。
【図９】本発明に係る画像読取装置の第５実施形態を示す要部縦断面図である。
【図１０】本発明に係る画像読取装置の第６実施形態を示す縦断面図である。
【図１１】（ａ）は、本発明に係る撮像素子により撮像された読取対象のサンプルの画像であり、本発明にかかる処理手段により画像補正がされる前のものであり、（ｂ）は、（ａ）で示した画像について歪み補正がなされたものである。
【図１２】本発明に係る画像読取用アタッチメントの一実施形態を示す縦断面図である。
【符号の説明】
【００６０】
Ａ１，Ａ２，Ａ３，Ａ４，Ａ５，Ａ６    画像読取装置
Ｂ        画像読取用アタッチメント
Ｄｃ      原稿（読取対象）
１        基板
２        撮像素子
３        広角レンズ（光学系）
４        ケース
５        透明板
６        制御ＩＣ
７        メモリチップ
８，８’  照明手段
２１      受光面
２２      単位受光領域
３１      物体側レンズ
３２      収束レンズ
３３      結像側レンズ群
３３１    非球面凸レンズ
３３２    非球面凹レンズ
４１      基端部
４１ａ    開口端（第２開口端）
４１ｂ    端部（第２開口端側の）
４２      フード
４２ａ    開口端
４２ｂ    端部（開口端側の）
４２１    上板
４２２    傾斜板
４２３    側板
４２４    遮光膜
４２５    散乱透過部
８１      光源
８２      導光体
８３      支持部材
【図１】
0005015086.tif 000002
【図２】
0005015086.tif 000003
【図３】
0005015086.tif 000004
【図４】
0005015086.tif 000005
【図５】
0005015086.tif 000006
【図６】
0005015086.tif 000007
【図７】
0005015086.tif 000008
【図８】
0005015086.tif 000009
【図９】
0005015086.tif 000010
【図１０】
0005015086.tif 000011
【図１２】
0005015086.tif 000012
【図１１】
0005015086.tif 000013